(57)【要約】【課題】現場で簡単にケーブルドラムに取り付けて、当該ドラムを運搬することが出来、また、現場で前記ドラムを浮かし、架台に容易に乗せることがでる。【解決手段】ドラムＤの中心孔に通したシャフト１と、前記ドラムＤの両側の鍔の外側に突出したシャフト１を支持するシャフト支持部３を有する二本の支持フレーム２とから成り、前記各支持フレーム２は直線部２ｂの一端から円弧部２ｃが延設され、当該円弧部２ｃは折り返し部２ｄ及び頂部２ｅを形成して前記直線部２ｂに接続され、前記各シャフト支持部３は前記直線部２ｂを地面又は床に置いた際、円弧部２ｃの頂部２ｅ付近に支持され、この状態で前記ドラムの鍔が地面又は床から浮き、また、前記折り返し部２ｄが前記ドラムの鍔の外側に突出している。【選択図】      図１
2014128080.tif 000002
【特許請求の範囲】
【請求項１】
延線ドラムの中心孔に通したシャフトと、前記延線ドラムの両側の鍔の外側に突出した前記シャフトを支持するシャフト支持部をそれぞれ有する二本の支持フレームとから成り、
前記各支持フレームは直線部の一端から円弧部が延設され、当該円弧部の先端は、前記直線部の一端側に折り返され、さらに頂部を形成して前記直線部の前記一端から他端側に一定長離れた位置に接続され、
前記各シャフト支持部は、前記直線部を地面又は床に置いた際、前記円弧部の頂部付近に支持され、当該各シャフト支持部に、延線ドラムの中心孔に通したシャフトを支持し、かつ、直線部を地面又は床に置いた状態で、前記延線ドラムの鍔が地面又は床から浮いており、また、この状態で前記各支持シャフトの円弧部の折り返し部が延線ドラムの鍔端部より外方に突出していることを特徴とする、延線ドラム架台。
【請求項２】
前記各支持フレームの円弧部は、ドラムを地面又は床から浮かし架台に据置する際、ドラムの径の大きさにかかわらず、てこの支点が連続的に滑らかに移動する曲線形状を持つことを特徴とする、請求項１に記載の延線ドラム架台。
【請求項３】
前記各シャフト支持部は延線ドラムの中心孔に通したシャフトの外径とほぼ同じ内径を有する、一定長の管体から成ることを特徴とする、請求項１又は２に記載の延線ドラム架台。
【請求項４】
前記各シャフト支持部の管体は、その基部が各支持フレームの円弧部に支持され、また、その外側先端部と支持フレームの直線部とを繋ぐ補助フレームにも支持されていることを特徴とする、請求項３に記載の延線ドラム架台。
【請求項５】
前記各シャフト支持部は、前記直線部を地面又は床に置いた際、前記円弧部の頂部より、やや前記直線部の他端側にずれた箇所に支持されていることを特徴とする、請求項１〜４のいずれかに記載の延線ドラム架台。
【請求項６】
前記各支持フレームの円弧部と相対向する直線部箇所間に補強フレームを渡し、当該補強フレームの、延線ドラムの鍔が接する側にローラを設けたことを特徴とする、請求項１〜５のいずれかに記載の延線ドラム架台。
【発明の詳細な説明】
【技術分野】
【０００１】
この発明は、ケーブルの延線に使用する延線ドラム架台に関するもので、さらに詳しく述べると、極めて簡単に組立ててドラムの運搬ができ、延線箇所ではてこの原理を利用してドラムを架台に容易に乗せて、延線することが出来る延線ドラム架台に関するものである。
【背景技術】
【０００２】
従来、電線ケーブルや通信ケーブル工事に用いるケーブル延線用ドラムは、材料置き場や搬入場所等から工事現場等に運搬する場合、床等の損傷を防ぐためベニヤ板を敷いて養生し、その上を人力で転がしており、方向転換する場合は４〜５人の作業者がコロ等を順に当てがいこの上を転がしていく。
【０００３】
また、ケーブル延線ではドラムの中心孔に通したシャフトの両端をジャッキで支持し、これらのジャッキによりシャフトを持ち上げてドラムを地面等から浮かして延線する方法、また、ターンテーブル上にドラムを横倒しにして載置し、このターンテーブルを回転させて延線する方法、また、ドラムの中心孔に通したシャフトの両端夫々に略三角形状のフレームを取付け、これらのフレームを相互に連結させてドラムを地表面から浮かして延線する方法等がある。
【０００４】
これらの従来方法では、まず、ドラムを転がしたり、運搬治具を利用して延線作業箇所まで運搬し、その後、上記のような延線架台等にドラムを別途装着しなければ延線することができず、二重の手間がかかるものであった。
【０００５】
そこで、このようなケーブルドラムの運搬と延線が兼用できる台車や架台が開発された。特許文献１は、平面コ字型フレームから成る台車の両側に一対のジャッキを載置、固定し、この台車のコ字型フレーム内にドラムを入れ、ドラムにシャフトを通してその両端をジャッキに取り付け、ジャッキでドラムを地面等から上げて、台車にドラムを支持し、運搬可能とするとともに、前記台車に設けたストッパを地面等に押し付けて台車を固定し、ドラムからケーブルを繰り出して延線出来るものである。
【０００６】
また、特許文献２のものは、主台車と補助台車とから成り、主台車はその上面にケーブルドラムの両側の鍔を載せるローラを回転自在に設け、主台車の一側からこのローラと直角にガイド突体を略水平に突設して平面コ字型のフレームを形成し、上記補助台車はこれらのガイド突体に着脱自在に係合し、かつこれらのガイド突体に沿って摺動自在な係合溝を有し、上面にはこれらの係合溝と略直角方向に上記ケーブルドラムの両側の鍔を載せるローラを設け、これらの主台車と補助台車の下面には夫々これらを支える車輪を設け、かつ、主台車と補助台車とが相対的に接近自在な、ワイヤーと緊線機とから成る緊締手段を設けたものである。
【０００７】
この場合、主台車と補助台車を切り離し、これらをケーブルドラムの両側に位置させて、前記緊締手段の緊線機で接近させ、主台車のガイド突体に補助台車の係合溝を嵌め、さらに緊締手段で、主台車と補助台車を接近させ、各ローラにドラムの鍔を載せ、ドラムを地面等から浮かすものである。これにより、ドラムの運搬及び延線が可能となる。
【０００８】
また、特許文献３のものは、一側にブレーキ装置を設けた軸を、鋼線を巻き付けたドラムに回転自在に通し、このドラムの他側から突出する前記軸に、上記ブレーキ装置とドラムを相互に当接させて軸方向の動きを止めるカラーを通して着脱自在に固定し、前記ドラムの鍔の外面に突出したナットに係止自在な突腕を上記ブレーキ装置のブレーキホイールから突設し、当該軸の両端を、枠状のフレームから成る支持体の一端両側に設けた軸受けの上縁の溝に挿入し、一端を上記ブレーキ装置に接続したブレーキロッド又はワイヤーの他端を当該支持体の一側に長さ調整自在に支持させ、上記ドラムに巻きつけた鋼線の一端を通し、繰り出し方向には挿通自在で、反対方向には係止自在な鋼線通し金具を上記支持体に摺動自在かつ回転自在に設け、上記各軸受けを有する支持体の一端両側下部に、当該支持体を支持する車輪を設け、また支持体の他端両側下部には脚体を設けたものである。
【０００９】
この場合、支持体を斜めに立てて、軸を通したドラムに接近させ、当該支持体の一端両側の軸受けにドラムの軸を引っ掛け、この状態で支持体の他端をやや倒せば、ドラムは軸受けに係止されて地面等から浮く。そしてこの状態で軸の一側に設けたブレーキ装置に接続したブレーキロッド又はワイヤーの他端を支持体の一側に長さ調整自在に支持させ、ドラムを支持体の車輪によって容易に運搬することができる。また、ドラムを目的場所まで運んだ後、前記支持体の他端をさらに倒して支持体を水平にして、車輪と脚体で支持体を支持し、ドラムから鋼線を繰り出すことができる。
【００１０】
【特許文献１】実開昭６１−７４２１５号公報
【特許文献２】実公平４−３５３３３号公報
【特許文献３】実公平８−７９５８号公報
【発明の開示】
【発明が解決しようとする課題】
【００１１】
前記特許文献１のものは、ドラムを平面コ字型フレームから成る台車の中に入れ、ジャッキを操作して、ドラムに通したシャフトの両端をジャッキの上端に設けた軸受けに係止し、その後、前記ジャッキでドラムを地面等から浮かせなければならず、前記当該台車にドラムを載せるのに手間がかかるものである。
【００１２】
また、前記引用文献２のものは、主台車と補助台車を切り離し、これらをケーブルドラムの両側に位置させて、前記緊線機でワイヤーを引っ張り、これにより主台車と補助台車を接近させ、主台車のガイド突体に補助台車の係合溝を嵌め、さらに緊線機でワイヤーを引っ張り、主台車と補助台車を接近させ、各ローラにドラムの鍔を載せ、ドラムを地面等から浮かせて台車に載せるものであるが、まず、主台車のガイド突体に補助台車の係合溝を嵌めるのに作業者が手を添える等の作業が必要であり、また、これらの主台車と補助台車の水平移動でドラムをすくい上げるのに、大きな力を要するものである。従って、必ずしもドラムを台車にスムーズに載せられるものではない。
【００１３】
また、前記特許文献３のものは、軸を通したドラムに支持体を斜めに立てて接近させ、前記軸の両端を、支持体の一端両側の軸受けですくって当該軸受けにドラムの両側から突出する軸を係止してドラムを支持体の一端に載せるが、支持体の一端には車輪を有するため、支持体の一端が地面等に固定されず、当該支持体の一端でドラムを持ち上げるため、作業が難しく、熟練を要するものである。また、支持体にドラムを支持した後、ブレーキ装置のブレーキロッド又はワイヤーを支持体に支持させなければならない。
【００１４】
この発明は、この様なドラムの延線治具の課題を解決し、現場で簡単にケーブルドラムに取り付けて、当該ドラムを運搬し、延線箇所では、てこの原理を利用して当該ドラムを浮かし、架台に容易に乗せ、そして延線する、これらの一連の作業がひとつの治具で容易に実施できる延線ドラム架台を提供するものである。また、この延線ドラム架台は、外径の異なる多種のドラムに対しても、同様な操作で容易に延線ができる。
【課題を解決するための手段】
【００１５】
請求項１の発明は、延線ドラムの中心孔に通したシャフトと、前記延線ドラムの両側の鍔の外側に突出した前記シャフトを支持するシャフト支持部をそれぞれ有する二本の支持フレームとから成り、前記各支持フレームは直線部の一端から円弧部が延設され、当該円弧部の先端は、前記直線部の一端側に折り返され、さらに頂部を形成して前記直線部の前記一端から他端側に一定長離れた位置に接続され、前記各シャフト支持部は前記直線部を地面又は床に置いた際、前記円弧部の頂部付近に支持され、当該各シャフト支持部に、延線ドラムの中心孔に通したシャフトを支持し、かつ、直線部を地面又は床に置いた状態で、前記延線ドラムの鍔が地面又は床から浮いており、また、この状態で前記各支持フレームの円弧部の折り返し部が延線ドラムの鍔端部より外方に突出している、延線ドラム架台とした。
【００１６】
また、請求項２の発明は、請求項１の発明において、各支持フレームの円弧部が、ドラムを地面又は床から浮かし架台に据置する際、ドラムの径の大きさにかかわらず、てこの支点が連続的に滑らかに移動する曲線形状を有する、延線ドラム架台とした。
【００１７】
また、請求項３の発明は、請求項１又は２の発明において、前記各シャフト支持部は延線ドラムの中心孔に通したシャフトの外径とほぼ同じ内径を有する、一定長の管体から成る、延線ドラム架台とした。
【００１８】
また、請求項４の発明は、請求項３の発明において、前記各シャフト支持部の管体は、その基部が前記支持フレームの円弧部に支持され、また、その外側先端部と支持フレームの直線部とを繋ぐ補助フレームにも支持された、延線ドラム架台とした。
【００１９】
また、請求項５の発明は、請求項１〜４の発明において、前記各シャフト支持部は、前記直線部を地面又は床に置いた際、前記円弧部の頂部よりやや前記直線部の他端側にずれた箇所に支持されている、延線ドラム架台とした。
【００２０】
また、請求項６の発明は、請求項１〜５のいずれかの発明において、前記各支持フレームの円弧部と相対向する直線部箇所間に補強フレームを渡し、当該補強フレームの、延線ドラムの鍔が接する側にローラを設けた、延線ドラム架台とした。
【発明の効果】
【００２１】
請求項１の発明によれば、ドラムの保管場所から出して当該ドラムの中心孔にシャフトを通し、このシャフトの両側に、２本の支持フレームの各シャフト支持部を取り付けただけで、作業者が当該２本の支持フレームの直線部を以て、ドラムを転がしながらケーブルの繰り出し、又は繰り入れを行う現場に運ぶことが出来る。
【００２２】
そして、延線現場では２本の支持フレームの直線部を前方に立ち上げて各折り返し部付近を地面又は床に付け、作業者が、てこの原理を利用し、地面又は床についている折り返し部の一点をてこの支点の始めとし、前記支持フレームの直線部を持ってこれをおろす動作に従い、前記てこの支点が各円弧部の曲線に沿ってスムーズに移動し、各支持フレームの直線部を地面又は床に置けば、ドラムは２本の支持フレームによって地面又は床から浮き、架台に据置された状態となり、回転自在と成る。
【００２３】
また、この架台が不要となれば、作業者は前記２本の支持フレームの直線部を持って、これらの直線部を地面又は床から持ち上げ、ドラムの鍔と２本の支持フレームの一側の円弧部の折り返し部付近とを地面又は床につけ、さらに前記直線部を回すと、２本の支持フレームが地面又は床から浮き、当該２本の支持フレームをドラムのシャフトから外すことができ、容易に分解できる。しかも、２本の支持フレームはほぼ扁平なため、保管や運搬に場所をとらない。
【００２４】
このようにこの発明では、作業者一人で、ドラムに当該架台を取付け、運搬することが出来、また、てこの原理でドラムを容易に浮かし、架台に据置し、そしてケーブルの延線ができる。さらに、不要時には簡単にドラムから外すことができ、コンパクトに保管、運搬ができる。
【００２５】
また、前記各支持フレームの直線部を地面又は床に置いた状態で、前記各支持フレームの円弧部の折り返し部が延線ドラムの鍔端部より外方に突出しており、かつ、折り返し部の前後が円弧を成しているため、シャフト支持部と地面との長さより小さい半径のドラムに対しては、てこの原理で容易に２本の支持フレームの直線部を倒して地面又は床に着け、ドラムを浮き上げることができる。
【００２６】
また、請求項２の発明によれば、てこの原理を利用しドラムを浮かす際、地面又は床についている折り返し部のてこの支点の始点が、ドラムの外径によって異なる位置となるにもかかわらず、支持フレームの直線部を持ってこれをおろす動作に従い、どの場合の支点においても各円弧部の曲線に沿って連続的に滑らかに支点が移動する曲線形状をもつため、作業者は違和感なくかつ容易にドラムを浮かすことができる。
【００２７】
そして、浮かす作業開始時の各直線部の傾きは、ドラムの外径に応じて異なり、ドラムの外径が小さいものから大きくなるに従って、小さくなり、このため外径が大きい、即ち、重いドラムを、小さい動作で浮かすことができるため、作業は迅速かつ容易となる。
【００２８】
また、請求項３の発明によれば、２本の支持フレームの各シャフト支持部が延線ドラムの中心孔に通したシャフトの外径とほぼ同じ内径を有する、一定幅の管体から成るため、当該架台はドラムのシャフトに各支持フレームのシャフト支持部を通すだけで、安定良く取り付けられ、ドラムの運搬やドラムを地面又は床から浮かしてケーブルを延線する際、途中で外れたりするおそれがない。
【００２９】
また、請求項４の発明によれば、２本の支持フレームの各シャフト支持部の管体は、その基部で支持フレームの円弧部に支持されていると共にその外側先端部と支持フレームの直線部とを繋ぐ補助フレームによっても支持されているため、前記シャフト支持部はより強固に各支持フレームに支持される。
【００３０】
また、請求項５の発明によれば、前記各シャフト支持部は、前記直線部を地面又は床に置いた際、前記円弧部の頂部よりやや前記直線部の他端側にずれた箇所に支持されているため、この状態で、当該延線ドラム架台にドラムを乗せた場合、ドラムの重心は、各支持フレームの円弧部の頂部から後方にずれて直線部の他端側に位置し、当該ドラムからケーブルを繰り出す場合、地面又は床が反力受けとなって、安定性が良い。
【００３１】
また、請求項６の発明によれば、前記各支持フレームの円弧部の相対向する箇所に補強フレームを渡し、当該補強フレームの、延線ドラムの鍔が接する側にローラを設けているため、ドラムの両側の鍔にローラが当たり、ドラムの回転に従ってローラが回転するため、当該架台を取り付けることによってドラムをスムーズに回転させ、かつドラムを傷つけたりすることがない。
【図面の簡単な説明】
【００３２】
【図１】この発明の実施の形態例の架台の斜視図である。
【図２】この発明の実施の形態例の架台の支持フレームの外側面図である。
【図３】この発明の実施の形態例の架台の支持フレームの内側面図である。
【図４】（ａ）図はこの発明の実施の形態例の架台の支持フレームの正面図であり、（ｂ）図は管体の側面図である。
【図５】この発明の実施の形態例の架台に取り付けるドラムの中心孔にシャフトを通した側面図である。
【図６】この発明の実施の形態例の架台にドラムを取り付けた状態を示す側面図である。
【図７】この発明の実施の形態例の架台にドラムを取り付けて、直線部を立てた状態の側面図である。
【図８】この発明の実施の形態例の架台にドラムを取り付けて、当該ドラムを浮かし架台に据置いた状態の側面図である。
【図９】この発明の実施の形態例の架台にドラムを取り付けて、当該ドラムを浮かし架台に据置いた状態の正面図である。
【図１０】この発明の実施の形態例の架台にドラムを取り付けて、当該ドラムを、てこの原理で浮かしていく様子を示す側面図である。
【図１１】この発明の実施の形態例の架台に外径の異なるドラムを取り付けて各ドラムを浮かす場合の、動作開始前の状態を示す側面図である。
【図１２】この発明の実施の形態例の架台に外径の異なるドラムを取り付けて各ドラムを浮かす場合の、動作終了後の状態を示す側面図である。
【図１３】この発明の実施の形態例の架台に外径の異なるドラムを取り付けて各ドラムを浮かす場合の、異なるこの支点の開始位置（＝始点）及び支点の軌跡を示す側面図である。
【図１４】この発明の実施の形態例の各支持フレームの円弧部を、等角螺旋で実現した場合の側面図である。
【発明を実施するための最良の形態】
【００３３】
以下、この発明の実施の形態例を図１から４に基づいて説明する。この発明の延線ドラム架台Ａは、ドラムＤの中心孔に通すシャフト１と当該シャフト１の両側に取り付ける２本の支持フレーム２、２とから成る。
【００３４】
各支持フレーム２は、把手部２ａを一端に有する直線部２ｂと、当該直線部２ｂの他端を一端側に折り返して直線部２ｂに戻る円弧部２ｃとから成る。また、この円弧部２ｃは前記折り返し部２ｄと頂部２ｅを有し、前記折り返し部２ｄ及び頂部２ｅの各曲率半径は、他の円弧部２ｃの曲率半径より小さくなっている。さらに折り返し部２ｄと頂部２ｅ相互の曲率半径も異なる。
【００３５】
また、当該各支持フレーム２の円弧部２ｃの、頂部２ｅよりやや把手部２ａ側の箇所に、前記シャフト１を通して支持するシャフト支持部３が設けられている。このシャフト支持部３は各支持フレーム２の長手方向に直角に向いている一定長の管体４から成る。また、これらの各管体４の内径は、前記シャフト１の外径よりやや大きい径である。また、この管体４は、前記支持フレーム２の円弧部２ｃにアングル片８を介して設けられている。
【００３６】
そして、当該管体４を有する箇所から下部の直線部２ｂまで補強フレーム５を有し、また、前記管体４の外側端と前記直線部２ｂまでを結ぶ補助フレーム６が設けられている。これにより、管体４は強固に各支持フレーム２の円弧部２ｃに支持されている。また、前記補強フレーム５の一側面の、ドラムの鍔と接する側にローラ７が設けられ、この架台Ａにドラムを乗せた際、ドラムの鍔が接触すると、ドラムの回転に従って当該ローラ７が回転する構成となっている。
【００３７】
この延線ドラム架台ＡをドラムＤに取り付けるには、まず、図５に示すように、ドラムＤを保管場所から出し、当該箇所で、作業者はドラムＤの中心孔にドラムＤの幅より長いシャフト１を通し、ドラムＤの両側の鍔の外側にシャフト１の両端を突出させる。その後、図６に示すように、２本の支持フレーム２を持っていき、各支持フレーム２のシャフト支持部３の管体４を前記シャフト１の両端部に夫々被冠する。
【００３８】
その際、図６に示すように、シャフト支持部３を下に、また、前記直線部２ｂを上にして２本の支持フレーム２をドラムＤに取り付ける。そして、作業者は２本の支持フレーム２の把手部２ａを手で持って押せば、ドラムＤを転がしながら延線場所にドラム及びドラム架台を運ぶことが出来る。その際、２本の支持フレーム２が、シャフト１の両側にそれぞれ別々に取り付けられているため、各支持フレーム２への押圧力を変えれば、容易に方向変換をすることが出来る。
【００３９】
この様にして、ドラム及びドラム架台を延線場所に運んだ後、作業者は各支持フレーム２を、図７に示すように、円弧部２ｃの折り返し部２ｄをドラムＤの前方の地面又は床に押し付けて直線部２ｂを前方に立ち上げる。そして、作業者はドラム及びドラム架台の前方に回って、２本の支持フレーム２の把手部２ａ又は直線部２ｂを手で持って、前記円弧部２ｃの折り返し部２ｄ付近を支点として、作業者は手前に各直線部２ｂを回し、図８に示すように、直線部２ｂを地面又は床に置く。この際、作業者は図１０に示すように、てこの原理を利用することとなり、左程の力を要しない。
【００４０】
これにより、ドラムＤは地面又は床から離れ、当該延線ドラム架台Ａ上に乗る。そして、この状態では、ドラムＤの鍔は、図８及び９に示すように、地面又は床から浮き上がっている。従って、ドラムＤはこの延線ドラム架台Ａに支持され、回転可能となり、巻き付けられたケーブルを繰り出したり、引き込んだりできる。
【００４１】
次に、この延線ドラムＤの外径が小さい場合Ｄ１や大きい場合Ｄ２等、ドラムの外径が異なる場合について、説明する。
【００４２】
図１１、１２は、外径の異なるドラムに取り付けて各ドラムを地面又は床から浮かす場合のその前後をそれぞれ表している。図１１に示すように、円弧部２ｃの曲線形状により、折り返し部２ｄ付近で地面又は床に接する点、即ち、てこの支点の開始位置（＝始点）は、ドラムＤ１、Ｄ、Ｄ２の外径に応じて、Ｓ１、Ｓ、Ｓ２  とそれぞれ異なる位置となる。
【００４３】
そして、図１３に示すように、異なる始点Ｓ１、Ｓ、Ｓ２を持つ各支点は、てこの動作に従い終点（＝直線部の一端２ｂ´）まで、円弧部２ｃを移動することになるが、円弧部２ｃは、いずれの場合に対しても、連続的に滑らかに支点が移動する曲線形状をもつため、作業者は違和感なくかつ容易にドラムを浮かすことができる。
【００４４】
このような曲線例として、等角螺旋曲線をあげることができる。等角螺旋では、図１４に示すように、円弧部２ｃ上を移動する支点における接線と、支点と２ｂ´を結ぶ直線とがなす角が等しいため、てこの原理による作業を滑らかに行うことができる。
【００４５】
また、図１１に示すように、各直線部２ｂの傾きは、ドラムＤの外径に応じて異なり、ドラムＤの外径が小さいものから大きいものに従って、小さくなり、ドラムＤを浮かすための直線部２ｄを地面又は床に付けるまでの動作が少なくてすみ、作業は迅速かつ容易となる。
【００４６】
また、前記ドラムＤのケーブルの延線又は引き込み作業が終了した場合は、そのまま、直線部２ｂを地面又は床に置いた状態でも安定して置いておくことが出来る。また、当該延線ドラム架台Ａが不要の際は、上述と反対の作業を行い、ドラムＤから容易に２本の支持フレーム２を取り外し、シャフト１及び２本の支持フレーム２に分解することが出来、保管、運搬の際、場所を取らない。
【００４７】
また、前記実施の形態例では、２本の支持フレーム２をドラムＤのシャフト１の両側に夫々別々に取り付けているが、これらの２本の支持フレーム２を適宜の棒体で渡して着脱自在に接続すれば、直線方向の運搬の際や、ドラムＤを地面又は床から浮かす作業等が容易となる。
【００４８】
前記実施の形態例では、ケーブルを例としたが、ホース、縄、ロープなどの巻き物にも適用できる。
【符号の説明】
【００４９】
Ａ      延線ドラム架台            Ｄ      ドラム
Ｄ１        小径のドラム            Ｄ２        大径のドラム
Ｓ 支点                    Ｓ１        小径のドラムの支点
Ｓ２        大径のドラムの支点
１      シャフト                  ２      支持フレーム
２ａ    把手部                    ２ｂ    直線部
２ｃ    円弧部                    ２ｄ    折り返し部
２ｅ    頂部                      ３      シャフト支持部
４      管体                      ５      補強フレーム
６      補助フレーム              ７      ローラ
８      アングル片
【図１】
2014128080.tif 000003
【図２】
2014128080.tif 000004
【図３】
2014128080.tif 000005
【図４】
2014128080.tif 000006
【図５】
2014128080.tif 000007
【図６】
2014128080.tif 000008
【図７】
2014128080.tif 000009
【図８】
2014128080.tif 000010
【図９】
2014128080.tif 000011
【図１０】
2014128080.tif 000012
【図１１】
2014128080.tif 000013
【図１２】
2014128080.tif 000014
【図１３】
2014128080.tif 000015
【図１４】
2014128080.tif 000016